(57)【要約】【課題】光での異常報知を目立ちやすくして外部への異常報知機能を発揮させることができるドアホン子機を提供する。【解決手段】ドアホン子機１１は、カメラ１８と、カメラ１８による撮像時に点灯する照明部２８と、住戸内で検知した異常状態を光により報知する異常報知部３０とを備える。異常報知部３０が報知しているとき、照明部２８を消灯させるか、または、異常報知部３０が報知していないときの点灯状態と比較して減光した状態で点灯させる。【選択図】図１
2019118071.tif 000002
【特許請求の範囲】
【請求項１】
撮像部と、
前記撮像部による撮像時に点灯する照明部と、
住戸内で検知した異常状態を光により報知する異常報知部と、を備え、
前記異常報知部が報知しているとき、前記照明部を消灯させるか、または、前記異常報知部が報知していないときの点灯状態と比較して減光した状態で点灯させる、
ドアホン子機。
【請求項２】
前記照明部は、前記撮像部の撮像内容を前記ドアホン子機と通信可能な親機に表示させている状態、前記ドアホン子機において呼出操作を受け付けた状態、前記ドアホン子機と前記親機との間で通話している状態、前記撮像部の撮像内容を録画している状態、および、人感センサで人の動きを検知した状態のうちいずれか１以上の状態で点灯する、請求項１に記載のドアホン子機。
【請求項３】
前記撮像部、前記照明部および前記異常報知部が配置される筐体を有し、前記照明部および前記異常報知部は、前記筐体の正面側の面積の半分以下の領域内に配置されている、請求項１または２に記載のドアホン子機。
【請求項４】
前記ドアホン子機が通電されているときに点灯する通電表示部を備え、前記領域内に、前記照明部および前記異常報知部とともに前記通電表示部が配置されている、請求項３に記載のドアホン子機。
【請求項５】
前記ドアホン子機が通電されているときに点灯する通電表示部を備え、前記異常報知部と前記通電表示部との間の距離よりも前記異常報知部と前記照明部との間の距離の方が近い、請求項１または２に記載のドアホン子機。
【請求項６】
前記ドアホン子機が通電されているときに点灯する通電表示部を備え、前記通電表示部は、前記異常報知部の報知の有無にかかわらず点灯させたままの状態とする、請求項１または２に記載のドアホン子機。
【請求項７】
前記ドアホン子機が通電されているときに点灯する通電表示部を備え、前記異常報知部が報知しているとき、前記通電表示部を消灯させるか、または、前記異常報知部が報知していないときの点灯状態と比較して減光した状態で点灯させる、請求項１または２に記載のドアホン子機。
【請求項８】
請求項１〜７のいずれか一項に記載のドアホン子機と通信する通信部を有する親機。
【請求項９】
前記親機は表示部を備えており、
前記異常報知部が報知しているとき、前記表示部に表示する画像の明るさ、および、前記撮像部が撮像する映像の明るさの少なくとも一方を調節する、請求項８に記載の親機。
【請求項１０】
請求項１〜７のいずれか一項に記載のドアホン子機と、請求項８または９に記載の親機と、を備える、インターホンシステム。
【発明の詳細な説明】
【技術分野】
【０００１】
本開示は、ドアホン子機、親機、および、インターホンシステムに関する。
【背景技術】
【０００２】
従来、例えば、特許文献１には、インターホンシステムが開示されている。このインターホンシステムは、複数の住戸にそれぞれ備えられた複数のインターホン親機と、各住戸の戸外に設置されるドアホンとを備える。このドアホンにはランプが備えられ、インターホン親機における非常報知手段から出力される非常信号を受けて、このランプが点灯または点滅する。これにより、住戸内での非常事態を、音ではなく光信号としてドアホンから外部に報知して、外部から容易に視認することができるようになっている。
【先行技術文献】
【特許文献】
【０００３】
【特許文献１】特開２０１３−２６９５８号公報
【発明の概要】
【発明が解決しようとする課題】
【０００４】
ところで、ドアホンには、カメラおよび照明部が設けられ、来訪者が呼出ボタンを押し操作したとき等に、照明部を点灯させることによってカメラで撮像される映像を明るく見やすいものにする構成が公知である。このようなドアホン子機において、上記特許文献１に記載されるように、ドアホンに光による非常報知手段を設けた場合、上記照明部が点灯した状態で非常報知手段が作動しても目立ちにくくなり、外部への非常報知の作用を十分に発揮できないことがある。
【０００５】
本開示の目的は、撮像部および照明部を備えるドアホン子機において、光による異常報知を目立ちやすくして外部への異常報知機能を発揮させることができるドアホン子機、これに接続された親機、ならびに、これらのドアホン子機および親機を含むインターホンシステムを提供することにある。
【課題を解決するための手段】
【０００６】
本開示の一態様であるドアホン子機は、撮像部と、撮像部による撮像時に点灯する照明部と、住戸内で検知した異常状態を光により報知する異常報知部と、を備える。そして、異常報知部が報知しているとき、照明部を消灯させるか、または、異常報知部が報知していないときの点灯状態と比較して減光した状態で点灯させる。
【０００７】
本開示の別の態様である親機は、上記構成のドアホン子機と通信する通信部を有する。また、本開示のさらに別の態様であるインターホンシステムは、上記構成のドアホン子機および親機を含む。
【発明の効果】
【０００８】
本開示に係るドアホン子機、親機、および、インターホンシステムによれば、ドアホン子機による光での異常報知を目立ちやすくして外部への異常報知機能を発揮させることができる。
【図面の簡単な説明】
【０００９】
【図１】一実施形態であるドアホン子機および親機を含むインターホンシステムを示す図である。
【図２】図１に示したインターホンシステムの機能ブロック図である。
【図３】（ａ）はドアホン子機において通電表示部のみが点灯した状態を示す図であり、（ｂ）は通電表示部と照明部が点灯した状態を示す図である。
【図４】（ａ）はドアホン子機において通電表示部と異常報知部が点灯した状態を示す図であり、（ｂ）異常報知部のみが点灯した状態を示す図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、本開示の一実施形態であるドアホン子機１１および親機１２を含むインターホンシステム１０を示す図である。図１においてドアホン子機１１および親機１２は、それぞれ正面から見た状態で示されている。
【００１２】
インターホンシステム１０は、例えば、集合住宅における各住戸にそれぞれ設置され、訪問者が来たことを住戸内の居住者に知らせる機能や、訪問者と通話する機能などを備える。
【００１３】
ドアホン子機１１は、住戸外に設置される。具体的には、ドアホン子機１１は、例えば、玄関扉の横の壁に設置される。これに対し、親機１２は、住戸内の壁に設置される。ドアホン子機１１と親機１２とは、電線１６によって電気的に接続される。この電線１６を介して親機１２からドアホン子機１１に電力が供給されるとともに、両者１１，１２間で各種の信号がやり取りされる。なお、ドアホン子機１１への電力供給は、親機１２からではなく、親機１２とは独立した別の電源線を用いて行ってもよい。
【００１４】
ドアホン子機１１は、正面視で例えば縦長の長方形状をなす筐体１４を備える。筐体１４は、例えば、樹脂製のケースによって構成される。筐体１４の上部には、撮像部としてのカメラ１８が配置されている。
【００１５】
カメラ１８は、ドアホン子機１１の正面に位置する来訪者等を撮影する機能を有する。カメラ１８には、例えばＣＣＤカメラを用いることができるが、これに限定されず、公知の如何なる撮像手段が用いられてもよい。また、本実施形態では、カメラ１８は、筐体１４の正面側において幅方向中心を通って上下方向に延伸する中心線ＣＬ上に配置されている。
【００１６】
ドアホン子機１１の筐体１４には、上下方向の中央部にスピーカ孔２０が配置されている。スピーカ孔２０は、上下方向に延びる複数の細幅スリットによって構成される。このスピーカ孔２０を介して、筐体１４に内蔵されたスピーカから音声を外部に発生させることができる。また、このスピーカ孔２０を介して、筐体１４に内蔵されたマイクで例えば来訪者の声等を取得することができる。なお、筐体１４には、スピーカ孔２０とは異なるマイク用の孔が別に設けられていてもよい。
【００１７】
ドアホン子機１１の筐体１４の下部には、呼出ボタン２２が配置されている。呼出ボタン２２は、例えば、不透光性の樹脂によって形成される。呼出ボタン２２は、来訪者等が押し操作する操作部を構成する。この呼出ボタン２２が押し操作されると、ドアホン子機１１では、カメラ１８による撮像を開始するとともに、撮像した映像を親機１２に送信するように構成されている。
【００１８】
ドアホン子機１１は、通電表示部２４を備える。通電表示部２４は、ドアホン子機１１が通電状態にあって作動していることを点灯により表示する部分である。本実施形態では、通電表示部２４は、呼出ボタン２２に設けられている。具体的には、通電表示部２４は、不透光性の呼出ボタン２２において幅方向中央に設けられた円形の透光性部材と、この透光性部材に対応して内蔵された例えば、緑色ＬＥＤ（Ｌｉｇｈｔ−Ｅｍｉｔｔｉｎｇ  Ｄｉｏｄｅ）からなる発光部とで構成される。通常、通電表示部２４は点灯した状態にある。なお、通電表示部２４は、後述する異常報知部の報知の有無にかかわらず点灯させたままの状態とすることができる。
【００１９】
また、ドアホン子機１１の呼出ボタン２２には、幅方向に細長く延びた長方形状をなす透光部２６を備える。透光部２６は、通電表示部２４の上方近傍に設けられている。筐体１４の内部であって透光部２６の内側には、照明部２８および異常報知部３０が配置されている。本実施形態では、照明部２８と異常報知部３０は、幅方向中心線ＣＬを挟んだ両側に配置されている。なお、異常報知部３０を挟んで異常報知部３０の両側に照明部２８がそれぞれ配置されていてもよいし、その逆であってもよい。
【００２０】
照明部２８は例えば白色ＬＥＤによって構成され、異常報知部３０は例えば赤色ＬＥＤによって構成されるのが好ましい。照明部２８は点灯すると透光部２６を介して白色光をドアホン子機１１から外部に放射される。これにより、ドアホン子機１１の前にいる訪問者の顔などを照明することができ、カメラ１８によって鮮明に撮像することが可能になる。なお、照明部２８および異常報知部３０は、それぞれ導光体等によって、透光部２６全体に広がるように光を放射するように構成されていてもよい。
【００２１】
他方、異常報知部３０は、住戸内で検知した異常状態を光により報知する機能を有する。具体的には、後述するように住戸内に設置された例えば火災センサ等の異常センサの検知を受けて親機１２からドアホン子機１１に検知信号が送信されたとき、異常報知部３０が点灯または点滅する。これにより、異常報知部３０から出射された赤色光が透光部２６を介してドアホン子機１１から外部に放射される。その結果、例えば、管理室の中央監視盤の異常通報を受けて駆けつけた管理人が、異常報知している住戸がどこなのかを迅速に見つけることができる。
【００２２】
なお、本実施形態では、１つの透光部２６で照明部２８および異常報知部３０からの光を外部に放射する構成としたが、これに限定されるものではなく、照明部２８と異常報知部３０とで別々の透光部を介して光を放射する構成としてもよい。この場合、呼出ボタン２２に形成される透光部用の樹脂部材を嵌め込む開口部が２つに分かれていてもよい。
【００２３】
また、本実施形態では、照明部２８および異常報知部３０を呼出ボタン２２に近接して設ける例について説明したが、これに限定されない。例えば、照明部２８および異常報知部３０は、筐体１４の正面側の面積の半分以下の領域内に配置されていてもよい。この場合、この領域内に、照明部２８および異常報知部３０とともに通電表示部２４が配置されているのが好ましい。このように通電表示部２４、照明部２８および異常報知部３０を比較的近い位置に配置することで、筐体１４内の電気回路をコンパクトな構成にすることができる。
【００２４】
また、本実施形態では、異常報知部３０と通電表示部２４との間の距離が異常報知部３０と照明部２８との間の距離と同じである場合を例示するが、これに限定されるものではない。異常報知部３０と通電表示部２４との間の距離よりも異常報知部３０と照明部２８との間の距離の方が近くてもよい。
【００２５】
また、本実施形態では、通電表示部２４、照明部２８および異常報知部３０を呼出ボタン２２に設けた例について説明しているが、これに限定されない。例えば、通電表示部２４のみを呼出ボタン２２に設け、照明部２８および異常報知部３０を呼出ボタン２２以外の筐体１４に設けてもよい。
【００２６】
さらに、通電表示部２４、照明部２８および異常報知部３０を構成する発光部を、１つの多色ＬＥＤで共用してもよい。この場合、通常時は緑色で発光させて通電表示部２４として用い、カメラ１８の作動時には白色で発光させて照明部２８として用い、異常報知時には赤色に発光させて異常報知部３０として用いることができる。
【００２７】
続いて、インターホンシステム１０に含まれる親機１２について説明する。
【００２８】
親機１２は、例えば、樹脂製のケースである筐体３２を有する。筐体３２の正面側において中央部から上部にかけてタッチパネル３４が配置されている。このタッチパネル３４は、例えば、液晶表示パネルによって好適に構成される。
【００２９】
タッチパネル３４は、正面視で横長の長方形状をなす表示部３６を備える。表示部３６には、ドアホン子機１１のカメラ１８によって撮像された映像やメニュー画面などが表示される。
【００３０】
また、タッチパネル３４において表示部３６の下には、複数の操作ボタン３８が表示されている。具体的には、本実施形態の親機１２では、「解錠」、「通話」、「終了」の操作ボタンが表示されている。「解錠」ボタンは、タッチ操作することで、集合住宅の共用玄関に設置されたドアの電子錠を解錠することができる操作部である。「通話」ボタンは、タッチ操作することで、ドアホン子機１１と親機１２との間、および、親機１２と図示しない共用玄関インターホン子機との間での通話を可能にする操作部である。「終了」ボタンは、タッチ操作することで、ドアホン子機１１等との通話を終了させる操作部である。
【００３１】
親機１２の筐体３２において、タッチパネル３４の下方にはメニューボタン４０およびスピーカ孔４２が配置されている。メニューボタン４０は、押し操作することで、表示部３６にメニュー画面を表示させる操作部である。スピーカ孔４２は、多数の小径円形孔で構成されており、このスピーカ孔４２を介して筐体３２に内蔵されたスピーカから音声を外部に発生させることができる。また、このスピーカ孔４２を介して、筐体３２に内蔵されたマイクで例えば来訪者の声等を取得することができる。
【００３２】
図２は、図１に示したインターホンシステム１０の機能ブロック図である。親機１２は、スピーカ１２ａおよびマイク１２ｂによって通話音声の入出力を行う音声処理部１２ｃと、表示部３６によって訪問者映像等を表示する映像処理部１２ｄと、操作ボタン３８およびメニューボタン４０等で構成される操作部１２ｅとを備えている。また、親機１２は、外部電源５０から受電して各部に作動電力を供給する受電回路１２ｆを備える。
【００３３】
親機１２は、制御部１２ｇおよび記憶部１２ｈをさらに備える。制御部１２ｇは、例えばマイコン回路等で構成され、記憶部１２ｈに記憶された制御プログラムを読み出して実行する。
【００３４】
親機１２は、ドアホン子機１１と通信する通信部１２ｉをさらに備える。親機１２の制御部１２ｇは、通信部１２ｉを介してドアホン子機１１と各種の信号をやり取りする。また、制御部１２ｇは通信部１２ｉを介してセンサ５２に接続されている。センサ５２には、例えば、火災センサ、ガス漏れセンサ、防犯センサ等が含まれる。制御部１２ｇは、センサ５２からの異常検知信号を受けて、ドアホン子機１１の異常報知部３０を作動（点灯または点滅）させるための制御信号を生成して通信部１２ｉを介して送信する。
【００３５】
インターホンシステム１０のドアホン子機１１は、スピーカ１１ａおよびマイク１１ｂによって通話音声の入出力を行う音声処理部１１ｃと、カメラ１８によって来訪者等を撮像する映像処理部１１ｄとを備える。また、ドアホン子機１１は、照明部２８、異常報知部３０および通電表示部２４に接続される制御部１１ｅと、親機１２と通信するための通信部１１ｆを備える。制御部１１ｅは、例えばマイコン回路等によって構成され、図示しない記憶部に記憶された制御プログラムを実行することができる。また、制御部１１ｅは、親機１２からの制御信号を受けて、照明部２８、異常報知部３０、および、通電表示部２４の各点灯状態を制御することができる。
【００３６】
続いて、上記の構成からなるドアホン子機１１および親機１２を含むインターホンシステム１０の動作について説明する。図３（ａ）はドアホン子機において通電表示部のみが点灯した状態を示す図であり、図３（ｂ）は通電表示部と照明部が点灯した状態を示す図である。
【００３７】
図３（ａ）に示すように、通常、ドアホン子機１１の呼出ボタン２２に設けられた通電表示部２４が点灯している。これにより、ドアホン子機１１が作動状態にあることが表示される。
【００３８】
この状態で、来訪者等が呼出ボタン２２を押し操作すると、図３（ｂ）に示すように、照明部２８が点灯し、カメラ１８が撮像を開始する。これにより、カメラ１８によって訪問者等をより鮮明な映像で撮影することができる。ドアホン子機１１のカメラ１８によって撮像された映像は、通信部１１ｆを介して親機１２に送信されて、表示部３６に表示される。
【００３９】
照明部２８は、（１）カメラ１８の撮像内容をドアホン子機１１と通信可能な親機１２に表示させている状態、（２）ドアホン子機１１において呼出ボタンが押されて呼出操作を受け付けた状態、（３）ドアホン子機１１と親機１２との間で通話している状態、カメラ１８の撮像内容を録画している状態、および、（４）人感センサで人の動きを検知した状態のうちいずれか１以上の状態で点灯するようにしてもよい。ここで、（４）人感センサによって人を検知した場合に照明部２８を点灯させる構成とするには、例えば、ドアホン子機１１に人感センサを設けてもよい。
【００４０】
照明部２８は、カメラ１８の撮像が終了したときに消灯される。具体例としては、親機１２において「終了」ボタンがタッチ操作されてドアホン子機１１と親機１２との間での通話が終了したときに消灯される。
【００４１】
図４（ａ）はドアホン子機において通電表示部と異常報知部が点灯した状態を示す図であり、図４（ｂ）異常報知部のみが点灯した状態を示す図である。
【００４２】
住戸内に設置されたセンサ５２によって例えば火災等の異常が検知されたとき、親機１２からの異常検知を示す信号を受信したドアホン子機１１では、異常報知部３０が点灯または点滅する。これにより、ドアホン子機１１を通じて住戸内で異常が発生していることを外部に報知することができる。
【００４３】
このように異常報知部３０が報知しているとき、照明部２８を消灯させる。具体的には、照明部２８が点灯する上記（１）〜（４）の少なくとも１つの状態にある場合でも、照明部２８を消灯させる。すなわち、この場合には、照明部２８による撮像対象の照明機能よりも異常報知部３０の報知機能を優先させる。これにより、ドアホン子機１１による光での異常報知を目立ちやすくして外部への異常報知機能を発揮させることができる。
【００４４】
ただし、異常報知部３０が報知しているときに照明部２８を消灯させるのではなく、異常報知部３０が報知していないときの点灯状態と比較して減光した状態で照明部２８を点灯させてもよい。これによっても、ドアホン子機１１による光での異常報知が目立ちやすくなって、外部への異常報知機能を発揮させることができる。
【００４５】
上記のように異常報知部３０が報知しているとき、図４（ｂ）に示すように、呼出ボタン２２に設けられている通電表示部２４も消灯させてもよい。このようにすれば、異常報知部３０による異常報知がより目立ちやすくなって、外部への異常報知機能をより効果的に発揮させることができる。
【００４６】
上述したように本実施形態のドアホン子機１１は、カメラ１８と、カメラ１８による撮像時に点灯する照明部２８と、住戸内で検知した異常状態を光により報知する異常報知部３０とを備える。そして、異常報知部３０が報知しているとき、照明部２８を消灯させるか、または、異常報知部３０が報知していないときの点灯状態と比較して減光した状態で点灯させる。この構成によれば、ドアホン子機１１による光での異常報知を目立ちやすくして外部への異常報知機能を発揮させることができる。
【００４７】
本実施形態のドアホン子機１１において、照明部２８は、カメラ１８の撮像内容をドアホン子機１１と通信可能な親機１２に表示させている状態、ドアホン子機１１において呼出操作を受け付けた状態、ドアホン子機１１と親機１２との間で通話している状態、カメラ１８の撮像内容を録画している状態、および、人感センサで人の動きを検知した状態のうちいずれか１以上の状態で点灯する構成にできる。
【００４８】
また、本実施形態のドアホン子機１１において、カメラ１８、照明部２８および異常報知部３０が配置される筐体１４を有し、照明部２８は、筐体１４の正面側の面積の半分以下の領域内に配置されていてもよい。この場合、ドアホン子機１１が通電されているときに点灯する通電表示部２４を備え、上記領域内に、照明部２８および異常報知部３０とともに通電表示部２４が配置されていてもよい。
【００４９】
また、本実施形態のドアホン子機１１において、ドアホン子機１１が通電されているときに点灯する通電表示部２４を備え、通電表示部２４は、異常報知部３０の報知の有無にかかわらず点灯させたままの状態としてもよい。あるいは、異常報知部３０が報知しているとき、通電表示部２４を消灯させるか、または、異常報知部３０が報知していないときの点灯状態と比較して減光した状態で点灯させてもよい。
【００５０】
なお、本開示のドアホン子機、親機、および、インターホンシステムは、上述した実施形態およびその変形例に限定されるものではなく、種々の変更や改良が可能である。
【００５１】
例えば、異常報知部３０が報知しているとき、親機１２の表示部３６に表示する映像の明るさ、および、カメラ１８が撮像する映像の明るさの少なくとも一方を調節してもよい。このようにすれば、照明部２８が消灯または減光した状態であっても、親機１２の表示部３６に表示される映像をより見やすくすることができる。
【００５２】
また、異常報知部３０による報知時にはドアホン子機１１と親機１２との間での通話ができない通話制限モードを選択できるように構成されてもよい。このような通話制限モードは、親機１２においてメニューボタン４０を押し操作して表示部３６にメニュー画面を表示させ、このメニュー画面で選択できるようにしてもよい。この通話制限モードが選択された状態で異常報知部３０が報知しているときには通電表示部２４を消灯させるのが好適である。
【００５３】
さらに、ドアホン子機１１の付近に玄関灯が設置されている場合、ドアホン子機１１の異常報知部３０が報知しているときには玄関灯を消灯または減光させて、異常報知部３０の報知がより目立つようにしてもよいし、あるいは、異常報知部３０が報知しているときにも玄関灯を点灯または点滅させて避難経路を照明するようにしてもよい。
【符号の説明】
【００５４】
１０  インターホンシステム、１１  ドアホン子機、１１ａ，１２ａ  スピーカ、１１ｂ，１２ｂ  マイク、１１ｃ，１２ｃ  音声処理部、１１ｄ，１２ｄ  映像処理部、１１ｅ，１２ｇ  制御部、１１ｆ，１２ｉ  通信部、１２  親機、１２ｅ  操作部、１２ｆ  受電回路、１２ｈ  記憶部、１４，３２  筐体、１６  電線、１８  カメラ（撮像部）、２０，４２  スピーカ孔、２２  呼出ボタン、２４  通電表示部、２６  透光部、２８  照明部、３０  異常報知部、３４  タッチパネル、３６  表示部、３８  操作ボタン、４０  メニューボタン、５０  外部電源、５２  センサ。
【図１】
2019118071.tif 000003
【図２】
2019118071.tif 000004
【図３】
2019118071.tif 000005
【図４】
2019118071.tif 000006